(57)【要約】【課題】  温度変化があっても表示に影響を及ぼし難い反射ミラーの保持構造を有するミラーユニットを提供する。【解決手段】  板状の基材４１ａに反射面を有する凹面鏡４１と、基材４１ａと異なる材質からなり、凹面鏡４１を保持するためのホルダ４２と、を備えるミラーユニットであり、ホルダ４２と凹面鏡４１とは、複数の凸部（当接部）４１ｃを介して接触し、ホルダ４２と凹面鏡４１との間には、前記凸部４１ｃを密閉して囲う弾性部材４４を備える。【選択図】図４
2017102230.tif 000002
【特許請求の範囲】
【請求項１】
板状の基材に反射面を有する反射ミラーと、
前記基材と異なる材質からなり、前記反射ミラーを保持するためのホルダと、を備え、
前記ホルダと前記反射ミラーとは、複数の当接部を介して接触し、
前記ホルダと前記反射ミラーとの間には、前記当接部を密閉して囲う弾性部材を備えることを特徴とするミラーユニット。
【請求項２】
前記ホルダは、前記反射面の裏面側に前記当接部を介して接触する支持体と、この支持体と挟み込んで前記反射ミラーを保持する止め部材とを設け、
前記当接部は、前記支持体と前記反射ミラーとのうち一方から突出する複数の凸部にて形成され、
前記弾性部材は、前記複数の凸部毎に設けられる
ことを特徴とする請求項１に記載のミラーユニット。
【請求項３】
前記弾性部材は、前記ホルダ、または前記反射ミラーの一方側に接着固定される
ことを特徴とする請求項１に記載のミラーユニット。
【請求項４】
前記弾性部材によって囲われた空間内に接着部材を設ける
ことを特徴とする請求項１に記載のミラーユニット。
【発明の詳細な説明】
【技術分野】
【０００１】
本発明は、表示像を投影するミラーユニットに関し、例えば、ヘッドアップディスプレイなどの車載用表示装置に用いられるミラーユニットとして好適である。
【背景技術】
【０００２】
従来、表示光を反射させる反射ミラーを有するミラーユニットを用いた表示装置としては、ヘッドアップディスプレイがあり、例えば特許文献１に開示されている。かかる特許文献１に記載のヘッドアップディスプレイは、車両のインストルメントパネル（以下、インパネと言う）内部に取り付けられており、表示装置が発する表示光を車両のフロントガラス（投影部材）に投影し、車両の利用者（運転者）に対し虚像を表示する。
【０００３】
前述した表示装置は、光源と、この光源の発光に伴い表示光を発する表示器と、この表示器が発する表示光をフロントガラス側に反射させるためのミラーユニットと、光源と表示器とミラーユニットとを収容する収納部及びミラーユニットによって反射された表示光を透過させる透光部を有する合成樹脂からなるハウジングとから主に構成されており、ミラーユニットの反射ミラーによって反射された表示光を前記透光部を通じてフロントガラスに投影し、虚像を表示する。
【先行技術文献】
【特許文献】
【０００４】
【特許文献１】特開平９−１０９７３２号公報
【発明の概要】
【発明が解決しようとする課題】
【０００５】
これらヘッドアップディスプレイは、車両に搭載され、車外の温度環境の変化だけでなく太陽光の照射による高温化など、温度変化が大きい。このため、反射ミラーとこの反射ミラーを保持するホルダとの温度変化による膨張率の差異によって、接着状態が解けたり、ミラー面に応力が加わり表示が歪んでしまうという課題があった。
【０００６】
特に、ミラーユニットが大型であったり、反射ミラーの基材と、ホルダとの材質が異なる場合には、前述課題が顕著になってしまうだけでなく、部品の接触部分が摩耗して削れるなどして発生したゴミがミラー面に付着してしまうなど、表示への影響が発生しないようにする構造が望まれていた。
【０００７】
そこで本発明の目的は、前述の課題に着目し、温度変化があっても表示に影響を及ぼし難い反射ミラーの保持構造を有するミラーユニットを提供することにある。
【課題を解決するための手段】
【０００８】
本発明のミラーユニットは、
板状の基材に反射面を有する反射ミラーと、
前記基材と異なる材質からなり、前記反射ミラーを保持するためのホルダと、を備え、
前記ホルダと前記反射ミラーとは、複数の当接部を介して接触し、
前記ホルダと前記反射ミラーとの間には、前記当接部を密閉して囲う弾性部材を備えることを特徴とする。
【０００９】
また、前記ホルダは、前記反射面の裏面側に前記当接部を介して接触する支持体と、この支持体と挟み込んで前記反射ミラーを保持する止め部材とを設け、
前記当接部は、前記支持体と前記反射ミラーとのうち一方から突出する複数の凸部にて形成され、
前記弾性部材は、前記複数の凸部毎に設けられる
ことを特徴とする。
【００１０】
また、前記弾性部材は、前記ホルダ、または前記反射ミラーの一方側に接着固定される
ことを特徴とする。
【００１１】
また、前記弾性部材によって囲われた空間内に接着部材を設ける
ことを特徴とする。
【発明の効果】
【００１２】
本発明のミラーユニットは、温度変化があっても表示に影響を及ぼし難い反射ミラーの保持構造となる。
【図面の簡単な説明】
【００１３】
【図１】本発明の実施形態によるヘッドアップディスプレイの概略図。
【図２】同実施形態による表示装置の断面図。
【図３】同実施形態によるミラーユニットを示す図。
【図４】同実施形態によるミラーユニットの要部を示す断面図。
【図５】同実施形態による支持体の凹面鏡との当接面側を示す図。
【図６】同実施形態の変形例の要部を示す断面図。
【発明を実施するための形態】
【００１４】
以下、本発明のミラーユニットを車両用のヘッドアップディスプレイに適用した実施形態について、図面を用いて説明する。
【００１５】
ヘッドアップディスプレイは、図１に示すように車両１０のインパネ（インストルメントパネル）１１内部に配設された表示ユニットである表示装置１２が投射する表示光Ｌを投影部材である車両１０のフロントガラス（風防ガラス）１３で車両１０の運転者（利用者）１４の方向に反射させ、虚像Ｖの表示を行う。換言すれば、ヘッドアップディスプレイは、表示装置１２の後述する液晶表示器２０から発せられる表示光Ｌをフロントガラス１３に出射（投射）し、この出射によって得られた表示像（虚像）Ｖを運転者１４に視認させる。これにより運転者１４は、運転席前方に表示される虚像Ｖを風景と重畳させて観察できる。
【００１６】
表示装置１２は、図２に示すように液晶表示器２０と、第１反射器３０と、ミラーユニットである第２反射器４０と、ハウジング５０とから主に構成されている。
【００１７】
液晶表示器２０は、配線基板Ｈに実装された発光ダイオードからなる光源２１と、この光源２１からの照明光を透過して表示光Ｌを発するように光源２１の照明方向に対向して配置されるＴＦＴ型の液晶表示素子２２とを設けている。このことは、液晶表示素子２２の背後（表示光Ｌの出射と反対側）に光源２１が設けられ、液晶表示素子２２は、光源２１から発せられる光を透過して、所定情報を投影表示することを意味している。
【００１８】
かかる液晶表示器２０は、表示光Ｌの出射側の面が第１反射器３０の後述するコールドミラーに対向するようにしてハウジング５０内に設けられ、表示光Ｌの光軸が前記コールドミラーに交わるような位置や向きにて固定保持される。
【００１９】
また、液晶表示素子２２は、図示しない素子駆動回路によって所定情報（例えば車両１０の速度やエンジン回転数、経路案内など車両情報）を、数値や文字、マーク等で画像形成する。液晶表示器２０は、光源２１からの照明光を利用して、可視波長域の光からなる表示光Ｌを出力する。例えば、白色光を発する光源２１を適用し、液晶表示素子２２に設けられるカラーフィルタを介して、有色（赤色や緑色など）の表示光Ｌを形成できる。なお、液晶表示素子２２が画像形成する所定情報は、車両の速度やエンジン回転数などの車両情報に限らず、時刻や動画などあらゆる表示形態を採用できることは言うまでもない。
【００２０】
第１反射器３０は、コールドミラー３１と、このコールドミラー３１を所定の固定手段を用いて取付固定するための固定部材３２とを有している。コールドミラー３１は、略矩形状のガラス基板３１ａと、このガラス基板３１ａの片面（第２反射器４０の後述する凹面鏡と向かい合う面）に形成された反射層３１ｂとからなる。かかる反射層３１ｂは、膜厚が異なる多層の干渉膜からなるものであり、蒸着等の方法で形成されている。また、コールドミラー３１は、液晶表示器２０（液晶表示素子２２）が発した表示光Ｌを、第２反射器４０（前記凹面鏡）側へ反射させるような位置に傾斜状態にて設けられる。
【００２１】
なお、コールドミラー３１は、液晶表示器２０の発光波長域を含む可視波長域（４５０〜７５０ｎｍ）の光を高い反射率（例えば８０％以上）で反射し、前記可視波長域以外の光を低い反射率で反射するものが好適である。この場合、コールドミラー３１は、前記可視波長域以外の特に赤外波長域の光（赤外線あるいは太陽光の熱線）を低い反射率（例えば１５％以下）にて反射するものが適用される。なお、反射層３１ｂにて反射されない光は、コールドミラー３１を透過するように構成される。また固定部材３２は、合成樹脂材料からなり、ハウジング５０に固定されてなる。
【００２２】
ミラーユニットである第２反射器４０は、図３，４に示すように、コールドミラー３１からの表示光Ｌを反射させるべく、ハウジング５０内に設けられた反射ミラーである凹面鏡４１と、この凹面鏡４１を保持するためのホルダ４２と、凹面鏡４１が実装されたホルダ４２を回転駆動させ、凹面鏡４１の傾斜角度を調整する駆動手段４３と、後述する摺動部分を囲う弾性部材４４と、を備えている。
【００２３】
凹面鏡４１は、合成樹脂（例えばポリカーボネート）からなる板状の基板４１ａと、この基板４１ａの前面部４５（つまりコールドミラー３１の反射層３１ｂと向かい合う面）に蒸着形成されるアルミニウム等の金属からなる反射膜４１ｂとを備え、この反射膜４１ｂにより形成される反射面は、所定の曲率を有する凹状の曲面（凹面）となっている。なお、この場合、基板４１ａは、射出成形によって成形される。
【００２４】
従って、この凹面として形成された反射膜４１ｂは、コールドミラー３１からの表示光Ｌをフロントガラス１３側へ反射させるための光反射面となる。なお、凹面鏡４１は、反射膜４１ｂによる反射面がコールドミラー３１並びに上方のフロントガラス１３に対向し、ハウジング５０の後述する透光性カバーから臨める位置に傾斜状態にて設けられる。
【００２５】
また、凹面鏡４１は、コールドミラー３１からの表示光Ｌを拡大しつつ、前記透光性カバー（車両１０のフロントガラス１３）側へ反射（投射）させる。このことは、凹面鏡４１が、コールドミラー３１によって反射された表示光Ｌを拡大し、この拡大された表示光Ｌを前記透光性カバーを通じてフロントガラス１３に投射することを意味している。また、この場合、凹面鏡４１の反射面は、フロントガラス１３の曲面形状に合わせて虚像Ｖの歪みを低減するように補正できる曲面形状としている。
【００２６】
ホルダ４２は、凹面鏡４１を所定位置に保持するためのもので、ハウジング５０の線膨張係数（熱膨張率）に近い金属材からなる支持体４２１と、この支持体４２１とは、別体の止め部材４２２と、を設けている。例えば、支持体４２１としてアルミダイカストを適用でき、また、止め部材４２２としては、アルミニウム等の板金部材や、ポリカボネート等の合成樹脂を適用できる。
【００２７】
支持体４２１は、凹面鏡４１の背面側（反射面の反対側）に設けられ、図５に示すように、軸部４２ａと、位置決め穴４２ｂと、溝部４２ｃと、平坦面４２ｄとが形成される。
【００２８】
軸部４２ａは、駆動手段４３による凹面鏡４１の回転を軸支するもので、ハウジング５０に形成される保持部によって、軸支される。なお、この軸部４２ａは、ベアリングを介してハウジング５０に軸支されてもよい。
【００２９】
位置決め穴４２ｂは、凹面鏡４１に形成される球面状の凸部（当接部）４１ｃに対向して形成され、複数の凸部４１ｃのうち一つが位置決め穴４２ｂに嵌まることで凹面鏡４１の面方向Ｘの位置を規制できる。この場合、位置決め穴４２ｂは、傾斜面が形成されて凸部４１ｃを位置決め穴４２ｂの中央側に誘い込むように位置決めできる。
【００３０】
溝部４２ｃは、位置決め穴４２ｂと同様に凸部４１ｃに対向する位置に形成され、凸部４１ｃに対して、所定の線上を摺動可能なように凹面鏡４１の位置を規制する規制手段となる。この溝部４２ｃは、位置決め穴４２ｂによる凹面鏡４１の位置決め状態に対して、この位置決め穴４２ｂを中心とする回転方向の移動を規制するとともに、凹面鏡４１の熱変形（熱膨張や熱収縮）が生じることを加味して、中央付近から外側への線状に形成される。即ち、凹面鏡４１が熱変形しても、凸部４１ｃが位置決め穴４２ｂ及び溝部４２ｃに嵌まった位置決め状態を維持できる。なお、溝部４２ｃの形状は、凸部４１ｃの球面形状に対応した大きさであればよく、Ｖ溝であっても、Ｕ溝であってもよい。
【００３１】
平坦面４２ｄは、上述同様に凹面鏡４１の凸部４１ｃに対向する位置に形成され、位置決め穴４２ｂと溝部４２ｃとともに凸部４１ｃに接触している。したがって、凹面鏡４１と支持体４２１の対向面において、位置決め穴４２ｂと、溝部４２ｃと、平坦面４２ｄとに対応した３つの凸部４１ｃを用いて３か所で接触しているため、凹面鏡４１と支持体４２１との熱膨張率の差によって、溝部４２ｃと平坦面４２ｄ箇所における凸部４１ｃの相対位置が変わっても、接触状態のまま所望の方向に摺動するだけで済み、凹面鏡４１をがたつかせることなく変化に対応しながら保持状態を維持できる。
【００３２】
止め部材４２２は、位置決め穴４２ｂ等で面方向Ｘに位置決めされた凹面鏡４１を、反射面側から押し付けるようにして保持するための部材である。この場合、止め部材４２２は、凹面鏡４１の長手方向（回転軸方向）に対向する辺（端部）付近を保持するように二か所設けられる。また、止め部材４２２は、弾性変形可能な緩衝材４２３を介して凹面鏡４１の反射面側に接触しており、熱変形による寸法変化を吸収して、凹面鏡４１の保持状態を維持できる。なお、止め部材４２２は、凹面鏡４１を介在した状態で、支持体４２１をビス止めすることで固定される。
【００３３】
また、止め部材４２２は、この場合、金属の板材をプレス加工して形成され、弾性変形可能に設けられる。この弾性力を凹面鏡４１への押圧力として付与したまま、凹面鏡４１を支持体４２１との間に挟み込むことができる。
【００３４】
なお、緩衝材４２３によっても該押圧力を付勢できる。また、熱変形した際に止め部材４２２と凹面鏡４１との相対的な位置変化が生じたとしても、緩衝材４２３の変形や滑りによる位置ずれによって、反射面への影響を低減しつつ、凹面鏡４１の位置決め保持状態を維持できる。緩衝材４２３は、例えば、発泡ウレタン材、または合成ゴム等の部材を適用できる。
【００３５】
これらホルダ４２の構成によって、合成樹脂材からなる凹面鏡４１が熱変形しても、ハウジング５０との軸支状態を維持できるだけでなく、所望の反射面位置を確保できる。
【００３６】
駆動手段４３は、通電により駆動力を発生するステッピングモータ４３ａと、このステッピングモータ４３ａの回動を利用して、凹面鏡４１の角度を変化させることができる。この場合、駆動手段４３は、ハウジング５０に固定されたステッピングモータ４３ａの回転軸に形成されたリードスクリュータイプのネジを直線方向に移動させ、凹面鏡４１から延びるアーム部４２ｅを該ネジによって押引することで、軸部４２ａを中心に凹面鏡４１を回転させるように構成する。なお、駆動手段４３は、リードスクリュータイプの他に、ラックアンドピニオンタイプや、ステッピングモータが、ギア等を介して軸部４２ａを回動させる構成であっても適用できる。
【００３７】
弾性部材４４は、例えば、発泡ウレタンやシリコーン等の弾性変形可能な材質からなり、図５に示すように、位置決め穴４２ｂ，溝部４２ｃ，平坦面４２ｄの周りにそれぞれ環状に張り付けられる。この場合、弾性部材４４は、ホルダ４２の支持体４２１に、接着シート（接着部材）４４ａを用いて貼り付けられるが、凸部４１ｃを囲うように、凹面鏡４１の基板４１ａに、貼り付けることもできる。
【００３８】
また、弾性部材４４は、ホルダ４２に凹面鏡４１が組み付けられることで、各部材の形状にあわせて弾性変形し、支持体４２１と凹面鏡４１とに当接し、凸部４１ｃを密閉するように設けられる。従って、合成樹脂材からなる凸部４１ｃと金属材からなるホルダ４２と接触箇所において、熱変形による上記凸部４１ｃの摺動が生じたり、車両の振動などにともなって、仮に、凸部４１ｃが削れてしまい、ゴミが発生してしまう場合であっても、このゴミを凹面鏡４１の反射面（反射膜４１ｂ）側に回り込むことを抑止できる。
【００３９】
ハウジング５０は、例えば黒色の遮光性合成樹脂材の成形部品や金属部材（アルミダイカスト）を組み合わせて、略箱型形状に形成され、その内部空間である空間部５１に液晶表示器２０や第１、第２反射器３０、４０を保持して収容する。これら収容部品は、金属材からなる保持体５２によって保持される。
【００４０】
また、ハウジング５０は、第２反射器４０における凹面鏡４１の配設位置の上部（フロントガラス１３側）が開口し、この開口を塞ぐように透光部である透光性カバー５３が配設されてなる。かかる透光性カバー５３は、透光性の合成樹脂材料（例えばアクリル樹脂）からなり、湾曲形状（曲面形状）に形成され、凹面鏡４１で反射された表示光Ｌが透過（通過）する光透過性部材としての機能を有している。つまり、凹面鏡４１によって反射された表示光Ｌは、ハウジング５０に形成された透光性カバー５３を通じてフロントガラス１３に投影され、これにより虚像Ｖの表示が運転者１４に対し行われることになる。
【００４１】
斯かるヘッドアップディスプレイの第２反射器（ミラーユニット）４０は、
基板４１ａ（板状の基材）に反射面を有する凹面鏡４１と、
基板４１ａと異なる材質からなり、凹面鏡４１を保持するためのホルダ４２と、を備え、
ホルダ４２と凹面鏡４１とは、複数の凸部（当接部）４１ｃを介して接触し、
ホルダ４２と凹面鏡４１との間には、前記凸部４１ｃを密閉して囲う弾性部材４４を備える。
【００４２】
従って、凸部４１ｃの接触部分が摩耗して削れるなどして発生したゴミが反射面に付着してしまうことを防止でき、温度変化による熱変形が生じるなどしても表示への影響が発生しないようにできる。
【００４３】
また、ホルダ４２は、前記反射面の裏面側に凸部４１ｃを介して接触する支持体４２１と、この支持体４２１と挟み込んで凹面鏡４１を保持する止め部材４２２とを設け、
凸部４１ｃは、支持体４２１と凹面鏡４１とのうち一方から突出する複数の凸部にて形成され、弾性部材４４は、複数の凸部毎に設けられることによって、必要な弾性部材４４や接着シート４４ａが少なくても、上述効果を得ることができるため有利である。
【００４４】
なお、本発明のヘッドアップディスプレイ装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、凸部４１ｃを凹面鏡４１側に形成し、これに対応する凹形状の位置決め穴４２ｂや溝部４２ｃをホルダ４２側に設ける構造を示したが、当接部は、凹面鏡とホルダとの何れかにあれば良く、ホルダ側に凸形状を設け、凹面鏡側に凹部を設けるなどして、凹凸関係を入れ替えた当接部としてもよい。
【００４５】
また、上述実施の形態にあっては、光源２１の照射光を利用して表示像を形成する液晶表示器２０を例に挙げて説明したが、照明光としてレーザー光を走査させて適用したり、ＤＭＤ（デジタルミラーデバイス）を利用したプロジェクタ方式を適用することもでき、上記ミラーユニットを組み合わせることで、上述実施の形態と同様の効果を得ることができる。
【００４６】
また、上述のコールドミラー３１にあっては、温度条件（光源等の電子部品の発熱）や太陽光の照射条件などによって、これを省くことができ、例えば、液晶表示器２０からの表示光を凹面鏡による反射を介してフロントガラスに投影する構成であっても上述実施の形態と同様の効果を得ることができる。
【００４７】
また、ホルダ４２の支持体４２１は、図６に示すように、略平板状のものも適用でき、加工がし易い。また、支持体４２１と止め部材４２２との固定にあっては、反射面以外の面でビス止めでき、例えば、側面や、図６に示すように、裏面にビスＢを螺合させてもよい。また、ビス止めだけでなくフックを用いた係合構造を組み合わせるなどしてもよい。
【００４８】
また、図６に示すように、緩衝材として、平板状のものの他に、球状や円筒状、円柱状の緩衝材４２３ａを適用することもでき、凹面鏡４１や止め部材４２２との接触面積を小さくすることで、凹面鏡４１または止め部材４２２との間での位置ずれや弾性変形し易くなる。また、緩衝材は、止め部材４２２、または凹面鏡４１の何れか一方に接着することもできる。例えば、止め部材４２２における凹面鏡４１との対向面に接着シートを介して貼り付けることができ、位置決めを容易にするため、組み付け性が良好となる。
【００４９】
また、図６に示すように、弾性部材４４を張り付ける際に、弾性部材４４の接着面より大きな形状の接着シート（接着部材）４４ａを設け、凸部４１ｃを含む空間内に接着面が露出するように設けることができる。これにより、凸部４１ｃか削れて発生するゴミを接着して保持することができ、反射面への回り込みを更に抑止できる。また、ビスＢ側に接着シート４４ａの露出部分を設けることで、ビスＢの螺合時に発生するゴミも接着して保持し、反射面への回り込みを抑止する効果も期待できる。従って、熱変形や車両の振動などが生じても、凹面鏡４１の反射面など光学部材に異物が付着するなどして表示品質を損なうことを防止できる。
【００５０】
また、弾性部材４４において、平板状のものの他に、円筒状、円柱状のものを適用することもでき、支持体４２１または凹面鏡４１との接触面積を小さくすることで、支持体４２１と凹面鏡４１との間での位置ずれや、弾性部材４４が弾性変形し易くなるため、上記ゴミを逃さないための密閉状態を保持しやすくできる。
【産業上の利用可能性】
【００５１】
本発明は、ミラーユニットに関して、例えば、自動車やオートバイ、あるいは農業機械や建設機械を備えた移動体に搭載される車両情報やターンバイターン表示等の道路情報などの車載表示装置として好適である。
【符号の説明】
【００５２】
１２  表示装置
２０  液晶表示器
３０  第１反射器
４０  第２反射器（ミラーユニット）
４１  凹面鏡（反射ミラー）
４１ａ  基板（板状の基材）
４１ｂ  反射膜
４１ｃ  凸部（当接部）
４２  ホルダ
４２１  支持体
４２２  止め部材
４２３  緩衝材
４２ａ  軸部
４２ｂ  位置決め穴
４２ｃ  溝部（規制手段）
４２ｄ  平坦部
４３  駆動手段
４３ａ  ステッピングモータ
４４    弾性部材
４４ａ  接着シート（接着部材）
５０  ハウジング
Ｌ  表示光
Ｘ  面方向
【図１】
2017102230.tif 000003
【図２】
2017102230.tif 000004
【図３】
2017102230.tif 000005
【図４】
2017102230.tif 000006
【図５】
2017102230.tif 000007
【図６】
2017102230.tif 000008